(57)【要約】【課題】  ヒンジユニットの設置構造を改善し、映像機器の外観品質を向上させることができるヒンジユニットの設置構造が改善された映像機器を提供する。【解決手段】  本発明に係る映像機器によると、外側から所定の深さで引入された収容部を有する映像機器本体と、ディスプレー部を有し、映像機器本体に回動自在に結合されるディスプレーユニットと、ディスプレーユニットを映像機器本体に回動自在に連結するヒンジユニットと、を含み、収容部の側面には、ヒンジユニットを映像機器本体の内側に挿入可能にする設置孔が設けられている。【選択図】      図２
2006352833.tif 000002
【特許請求の範囲】
【請求項１】
外側から所定の深さで引入された収容部を有する映像機器本体と、
ディスプレー部を有し、前記映像機器本体に回動自在に結合されるディスプレーユニットと、
前記ディスプレーユニットを前記映像機器本体に回動自在に連結するヒンジユニットと、を含み、
前記収容部の側面には、前記ヒンジユニットを前記映像機器本体の内側に挿入可能にする設置孔が設けられていることを特徴とする映像機器。
【請求項２】
前記ヒンジユニットが、前記映像機器本体について互いに直交するｘ軸およびｙ軸それぞれに対して回動自在になるよう、前記ディスプレーユニットを保持することを特徴とする請求項１に記載の映像機器。
【請求項３】
前記ヒンジユニットが、
メインブラケットと、
前記メインブラケットに連結され、前記ディスプレーユニットを前記ｘ軸を基準にして回動自在に保持する第１ヒンジ部と、
前記映像機器本体に固定し、前記メインブラケットに回動自在に連結されて前記メインブラケットを前記ｙ軸に対して回動自在に保持する第２ヒンジ部とを含むことを特徴とする請求項２に記載の映像機器。
【請求項４】
前記ヒンジユニットが、前記メインブラケットを取り囲んで収容するハウジングを更に含むことを特徴とする請求項３に記載の映像機器。
【請求項５】
前記設置孔が、前記ハウジングと第２ヒンジ部が所定位置で通過できるよう形成されていることを特徴とする請求項４に記載の映像機器。
【請求項６】
前記設置孔を通過して前記映像機器本体内に挿入されたヒンジユニットの締結位置をガイドするガイド部を更に含むことを特徴とする請求項１ないし５のいずれかに記載の映像機器。
【請求項７】
前記ガイド部が、
前記映像機器本体の内側に備えられ、前記ヒンジユニットの前記映像機器本体に締結される位置をガイドする少なくとも１つのガイドリブと、
前記ガイドリブによりガイドされた前記ヒンジユニットの位置を前記映像機器本体に固定させる少なくとも１つのガイドボスとを含むことを特徴とする請求項６に記載の映像機器。
【請求項８】
前記映像機器本体に前記ヒンジユニットが締結されてから前記設置孔の残り空間を覆って前記ヒンジユニットを保護するカバーを更に含むことを特徴とする請求項１なしい５のいずれかに記載の映像機器。
【請求項９】
前記ｘ軸は前記収容部の底面について垂直をなしている基準軸であり、前記ｙ軸は前記底面について並んでいる基準軸であることを特徴とする請求項２ないし５のいずれかに記載の映像機器。
【請求項１０】
前記ヒンジユニットは、前記ディスプレーユニットが前記ｘ軸に並んだ位置にある時、前記設置孔に挿入可能なことを特徴とする請求項９に記載の映像機器。
【請求項１１】
前記設置孔が、前記収容部の側面から前記映像機器本体の外側面まで延びて形成されることを特徴とする請求項９に記載の映像機器。
【請求項１２】
外側面を有する映像機器本体と、
側面と底面を備え、前記映像機器本体の外面に形成され、前記側面から前記映像機器本体の外側面まで延びて形成される設置孔を備える収容部と、
ディスプレーユニットと、
前記ディスプレーユニットを前記映像機器本体に回動自在に連結するヒンジユニットと、を含み、
前記設置孔は収容部の底面について前記ディスプレーユニットが垂直状態である場合、前記ヒンジユニットが挿入されることができるよう形成されることを特徴とする映像機器。
【請求項１３】
前記ヒンジユニットが、前記ディスプレーユニットを第１および第２軸に対して独立的に回動するよう保持することを特徴とする請求項１２に記載の映像機器。
【請求項１４】
前記第１軸は前記収容部の底面について垂直をなしている基準軸であり、前記第２軸は前記底面について並んでいる基準軸であることを特徴とする請求項１３に記載の映像機器。
【請求項１５】
前記ヒンジユニットが、
メインブラケットと、
前記メインブラケットに連結され、前記ディスプレーユニットを前記第１軸を基準にして回動自在に保持する第１ヒンジ部と、
前記映像機器本体に固定し、前記メインブラケットに回動自在に連結されて前記メインブラケットを前記第２軸に対して回動自在に保持する第２ヒンジ部とを含むことを特徴とする請求項１４に記載の映像機器。
【請求項１６】
前記ヒンジユニットが、前記メインブラケットを取り囲んで収容するハウジングを更に含むことを特徴とする請求項１５に記載の映像機器。
【請求項１７】
前記設置孔を通過した前記ヒンジユニットの締結位置をガイドするガイド部を更に含むことを特徴とする請求項１２に記載の映像機器。
【請求項１８】
前記ガイド部が、
前記映像機器本体の内側に備えられて、前記映像機器本体に締結される前記ヒンジユニットをガイドする少なくとも１つのガイドリブと、
前記ヒンジユニットを前記映像機器本体に固定させる少なくとも１つのガイドボスとを含むことを特徴とする請求項１７に記載の映像機器。
【発明の詳細な説明】
【技術分野】
【０００１】
本発明は、映像機器に関し、詳細には映像を表示するディスプレーユニットが映像機器本体に回動自在に設けられる映像機器に関する。
【背景技術】
【０００２】
一般に、カムコーダーのような映像機器は、撮影される被写体の映像をテープ、ハードディスク、ＣＤのような記録媒体に記録したり、その記録された映像を再生することができる。係る映像機器には、ユーザの目を直接接触させて映像を確認するファインダーとは別に、ディスプレーユニットを備える。ここで、前記ディスプレーユニットは映像機器で撮影中の映像、あるいは記録されてから再生される映像をディスプレーする。
【０００３】
係るディスプレーユニットが前記映像機器本体の一方に回動自在に設けられる。即ち、ディスプレーユニットは映像機器本体の一方に収容されて閉鎖されており、前記映像機器本体について回動され、開放されるドアのような形態で設けられている。なお、前記映像機器本体の一方にはディスプレーユニットに対応する形状で設けられ、閉鎖状態で回動されたディスプレーユニットが収容される収容部が設けられている。
【０００４】
一方、前記ディスプレーユニットを前記収容部に収容させた状態でオープン状態に回動させるため、前記ディスプレーユニットの一方にヒンジユニットが設けられる。前記ヒンジユニットを前記映像機器本体に連結する際に、外観などを顧慮して映像機器本体内に挿入された状態に結合する。
【０００５】
従って、映像機器本体には、前記ヒンジユニットを設けるために別の穴を形成しなければならないが、この穴の形状および位置によって前記映像機器本体の外観品質が大きく変わってしまう。また、前記穴を覆うための別のカバー部材が求められる場合、部品の数が増加し外観品質が低下されることはもちろん、組立て強度が低下する問題がある。
【発明の開示】
【発明が解決しようとする課題】
【０００６】
本発明は前述した問題点を解決するために案出されたもので、本発明の目的は、ヒンジユニットの設置構造の改善された映像機器を提供することにある。
【課題を解決するための手段】
【０００７】
前述した目的を達成するための本発明に係る映像機器は、外側から所定の深さで引入された収容部を有する映像機器本体と、ディスプレー部を有し、前記映像機器本体に回動自在に結合されるディスプレーユニットと、前記ディスプレーユニットを前記映像機器本体に回動自在に連結するヒンジユニットと、を含み、前記収容部の側面には、前記ヒンジユニットを前記映像機器本体の内側に挿入可能にする設置孔が設けられている。
【０００８】
本発明の個的な実施形態によると、前記ヒンジユニットが、前記映像機器本体について互いに直交するｘ軸およびｙ軸それぞれに対して回動自在になるよう、前記ディスプレーユニットを保持することが好ましい。
【０００９】
ここで、前記ヒンジユニットが、メインブラケットと、前記メインブラケットに連結され、前記ディスプレーユニットを前記ｘ軸を基準にして回動自在に保持する第１ヒンジ部と、前記映像機器本体に固定し、前記メインブラケットに回動自在に連結されて前記メインブラケットを前記ｙ軸に対して回動自在に保持する第２ヒンジ部と、を含む。
【００１０】
ここで、前記ヒンジユニットが、前記メインブラケットを取り囲んで収容するハウジングを更に含むことが好ましい。
【００１１】
前記設置孔が、前記ハウジングと第２ヒンジ部が所定位置で通過できるよう形成されていることがよい。
【００１２】
また、前記設置孔を通過して前記映像機器本体内に挿入されたヒンジユニットの締結位置をガイドするガイド部を更に含むことが好ましい。
【００１３】
ここで、前記ガイド部が、前記映像機器本体の内側に備えられ、前記ヒンジユニットの前記映像機器本体に締結される位置をガイドする少なくとも１つのガイドリブと、前記ガイドリブによりガイドされた前記ヒンジユニットの位置を前記映像機器本体に固定させる少なくとも１つのガイドボスと、を含むことが好ましい。
【００１４】
また、前記映像機器本体に前記ヒンジユニットが締結されてから前記設置孔の残り空間を覆って前記ヒンジユニットを保護するカバーを更に含むことがよい。
【００１５】
また、前記ｘ軸は前記収容部の底面について垂直をなしている基準軸であり、前記ｙ軸は前記底面について並んでいる基準軸である。
【００１６】
ここで、前記ヒンジユニットは、前記ディスプレーユニットが前記ｘ軸に並んだ位置にある時、前記設置孔に挿入可能なことが好ましい。
【００１７】
また、前記設置孔が、前記収容部の側面から前記映像機器本体の外側面まで延びて形成されることが好ましい。
【発明の効果】
【００１８】
本発明の映像機器によると、収容部の側面で遺贈機器本体の内側にヒンジユニットが挿入されるべく設置孔を形成することによって、設置孔の大きさを最小化することができる。また、映像機器の外観品質が向上されると共に、前記ヒンジユニットに保持されるディスプレーユニットの組立て強度を向上できる。
【発明を実施するための最良の形態】
【００１９】
以下、添付の図面に基づいて本発明の好適な実施形態を詳述する。
【実施例】
【００２０】
図１および図２に示すように、本発明の一実施の形態による映像機器は、映像機器本体１０、ディスプレーユニット２０、ヒンジユニット３０、ガイド部４０（図４参照）、カバー５０を含んでなる。
【００２１】
映像機器本体１０は、一方に後述するディスプレーユニット２０が収容される収容部１１を有する。この収容部１１は、ディスプレーユニット２０と対応する形状で映像機器本体１０の外側から所定の深さ引入され形成される。また、収容部１１の側面１４には、ヒンジユニット３０を映像機器本体１０の内側に挿入可能にする設置孔１２が形成されている。設置孔１２は、ヒンジユニット３０が所定の位置で通過できるよう収容部１１の側面１４から映像機器本体１０の外側面１５まで延びて形成されている。即ち、設置孔１２は収容部１１の底面１３には形成されず、収容部１１の側面１４と映像機器本体１０の外側面１５にかけて形成されている。
【００２２】
映像機器本体１０には、図示されない映像データを取得するカメラユニット、ユーザの目を接触して映像データを確認するファインダー、取得した映像データを保存および再生できる記録／再生装置、および記録媒体などが装着できる。係る映像機器本体１０の技術構成は、一般のカムコーダーの技術構成と類似しているため説明および図示は省略する。
【００２３】
ディスプレーユニット２０は、ディスプレー部２１と該ディスプレー部２１を有するフレーム２２を含む。ここで、ディスプレー部２１は、カメラユニット（図示せず）から撮影される映像データをディスプレーするか、記録媒体（図示せず）に保存されて再生される映像データをディスプレーする。係るディスプレー部２１は一般にＬＣＤを含む。
【００２４】
ヒンジユニット３０は、ディスプレーユニット２０を映像機器本体１０に回動自在に連結する。詳細には、ヒンジユニット３０は映像機器本体１０に対して互いに交差するｘ軸およびｙ軸それぞれに対して独立的に回動可能になるようディスプレーユニット２０を保持する。このために、ヒンジユニットは、図３に示すように、メインブラケット３１、第１ヒンジ部３２、第２ヒンジ部３５、およびハウジング３８を含んでいる。
【００２５】
ここで、ディスプレーユニット２０の回動する基準軸であるｘ軸は、図１および図２に示すように、映像機器本体１０の収容部１１の底面１３について垂直をなす軸であり、ｙ軸は底面１３について並んだ軸である。このｘ軸およびｙ軸は互いに直交している。
【００２６】
メインブラケット３１は、第１および第２ヒンジ部３２，３５を保持する。ここで、メインブラケット３１は、第１ヒンジ部３２を保持する第１保持部３１ａと、第１保持部３１ａの両端から折曲して延び、第２ヒンジ部３５をそれぞれ保持する１対の第２保持部３１ｂから区分される。
【００２７】
第１ヒンジ部３２はメインブラケット３１に連結され、ディスプレーユニット２０をｘ軸基準に回動自在に保持し、第１ヒンジ軸３３と連結ブラケット３４を含む。
【００２８】
第１ヒンジ軸３３は、メインブラケット３１の第１保持部３１ａにｘ軸方向に貫通挿入される。連結ブラケット３４は、メインブラケット３１に貫通挿入された第１ヒンジ軸３３の一端と結合される。なお、連結ブラケット３４はディスプレーユニット２０のフレーム部２２に、スクリューのような手段により固定される。ディスプレーユニット２０は、図１に示すように、第１ヒンジ部３２によりｘ軸基準にして回動する。
【００２９】
第２ヒンジ部３５は、映像機器本体１０に固定され、ｙ軸について回動自在にメインブラケット３１に保持されている。このため、第２ヒンジ部３５は１対の第２ヒンジ軸３６とヒンジブラケット３７を含んでいる。
【００３０】
１対の第２ヒンジ軸３６は、メインブラケット３１における１対の第２保持部３１ｂにそれぞれ貫通挿入されて回動自在に保持される。また、第２ヒンジ軸３６には、ガイド突起３６ａが突設され、ヒンジブラケット３７に対して回動をガイドする。
【００３１】
ヒンジブラケット３７は、ガイド溝３７ａが形成される一端と、第１および第２締結溝３７ｂ、３７ｃが形成される他端が互いに折り曲げて形成されている。
【００３２】
ガイド溝３７ａはガイド突起３６ａが挿入され、ｙ軸について回動される範囲をガイドする。第１締結溝３７ｂは、ヒンジブラケット３７を映像機器本体１０にスクリュー（Ｓ）固定するために形成され、第２締結溝３７ｃは、ヒンジブラケット３７と後述のカバー５０を共に映像機器本体１０に１つのスクリュー（Ｓ）固定するために形成される。
【００３３】
係る構成により、ディスプレーユニット２０が第２ヒンジ部３５により、図１に示すようｙ軸を中心にして回動できる。
【００３４】
なお、ディスプレーユニット２０がｙ軸について回動することによって、収容部１１に収容されてディスプレー部２１が閉鎖される収容位置と、ディスプレー部２１が収容部１１から離れてオープンされるオープン位置との間で移動自在になる。
【００３５】
ハウジング３８は、メインブラケット３１を取り囲んで収容する。また、ハウジング３８は、メインブラケット３１にそれぞれ保持される第１および第２ヒンジ軸３３，３６を共に収容する。つまり、第２ヒンジ部３５の第２ヒンジ軸３６に結合されたヒンジブラケット３７のみがハウジング３８の外部に露出される。
【００３６】
ヒンジユニット３０のハウジング３８と、このハウジング３８の外部に露出される第２ヒンジ部のヒンジブラケット３７とが設置孔１２を通過して映像機器本体１０の内側に結合される。なお、設置孔１２は、図２に示すように、ディスプレーユニット２０がｘ軸に並んだ位置にある時、ハウジング３８とヒンジブラケット３７が挿入されることのできる形状で形成される。即ち、設置孔１２はヒンジブラケット３７とハウジング３８がｘ軸方向に挿入されるべく、収容部１１の側面１４と映像機器本体１０の外側面１４が貫通形成されるのである。
【００３７】
ガイド部４０は、図４および図６に示すように、設置孔１２を通過して映像機器本体１０内に挿入されたヒンジユニット３０の締結位置をガイドする。このために、ガイド部４０は少なくとも１つのガイドリブ４１と第１および第２ガイドボス４２，４３を含む。
【００３８】
ガイドリブ４１は、図４に示すように、映像機器本体１０の内側面１６に備えられ、ヒンジユニット３０の映像機器本体１０に締結される位置をガイドする。なお、ガイドリブ４１は、１対のヒンジブラケット３７の縁部とそれぞれ接してガイドすべく、１対に備えられる。
【００３９】
第１および第２ガイドボス４２，４３は、図６に示すように、ヒンジユニット３０を映像機器本体１０に固定させる。ここで、第１および第２ガイドボス４２，４３それぞれにはヒンジブラケット３７の第１および第２締結溝３７ｃを通過するスクリュー（Ｓ）がそれぞれ締結される。
【００４０】
カバー５０は、図４に示すように、映像機器本体１０にヒンジユニット３０が締結されてから、設置孔１２の残り空間を覆ってヒンジユニット３０を保護し、このために第１および第２カバー部５１，５２を含んでいる。
【００４１】
第１カバー部５１は、図４ないし図６に示すように、設置孔１２に挿入されて映像機器本体１０の内側に挿入されるハウジング３８と１対のヒンジブラケット３７を覆う。なお、第１カバー部５１には第２ガイドボス４３と対応する位置にスクリュー（Ｓ）が挿入される固定溝５１ａが備えられる。図６に示すように、固定溝５１ａに挿入されたスクリュー（Ｓ）がヒンジブラケット３７の第２締結溝３７ｃを通過して第２ガイドボス４３に締結固定される。
【００４２】
第２カバー部５２は、第１カバー部５１から突設され、図１および図２に示すように、収容部１１の側面１４に形成された設置孔１２の残り空間を覆ってヒンジブラケット３７を保護する。
【００４３】
以下、図１ないし図６に基づいて本発明にかかる映像機器の組み立て関係について詳説する。
【００４４】
図２に示すように、ディスプレーユユニット２０の一方に、図３に示したヒンジユニット３０が回動自在に設けられ、これをｘ軸に並んだ位置に配置させる。この位置でヒンジユニット３０を設置孔１２に挿入させる。なお、図４に示すように、映像機器本体１０の内側面１６に備えられた１対のガイドリブ４１がヒンジユニット３０の締結位置をガイドする。
【００４５】
それから図６に示すように、ヒンジブラケット３７の第１締結溝３７ｂにスクリュー（Ｓ）を挿入させて第１ガイドボス４２に締結することによって、ヒンジユニット３０を映像機器本体１０に固定させる。これにディスプレーユニット２０は、図１に示すように、第１および第２ヒンジ部３５それぞれによってｘ軸およびｙ軸それぞれについて回動自在に設けられる。
【００４６】
図４に基づいて説明すると、カバー５０が映像機器本体１０の内側に挿入されヒンジユニット３０を保護すると同時に設置孔１２の残り空間を覆う。ここで、第１カバー部５１は、図５に示すように、映像機器本体１０の内側面１６に形成された設置孔１２の残り空間を覆い、第２カバー部５２は、図１に示すように、収容部１１の側面１４に形成された残り空間を覆う。ここで、カバー５０は図６に示すように、固定溝５１ａ、ヒンジブラケット３７の第２締結溝３７ｃを順次通過して第２ガイドボス４３に締結されているスクリュー（Ｓ）によって映像機器１０に固定される。係る構成によると、ｘ軸と並んだ位置に挿入されるヒンジユニット３０のハウジング３８と第２ヒンジ部３５と対応される形状で設置孔１２を形成することによって、該設置孔２のサイズを最小化し映像機器の外観品質を向上することが可能となる。
【００４７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４８】
【図１】本発明の一実施の形態に係る映像機器を概略的に示す斜視図である。
【図２】図１に示す映像機器を概略的に示す分解斜視図である。
【図３】図２に示すヒンジユニットを概略的に示す腰部斜視図である。
【図４】図１に示す映像機器のカバーの分離された状態を他の側面で概略的に示す斜視図である。
【図５】図４に示す映像機器にカバーが取り付けられた状態を概略的に示す斜視図である。
【図６】図５のＶＩ−ＶＩ線に沿って切断した断面図である。
【符号の説明】
【００４９】
１０      映像機器本体
１１      収容部
１２      設置孔
２０      ディスプレーユニット
２１      ディスプレー部
３０      ヒンジユニット
３１      メインブラケット
３２      第１ヒンジ部
３５      第２ヒンジ部
３８      ハウジング
４０      ガイド部
５０      カバー
【図１】
2006352833.tif 000003
【図２】
2006352833.tif 000004
【図３】
2006352833.tif 000005
【図４】
2006352833.tif 000006
【図５】
2006352833.tif 000007
【図６】
2006352833.tif 000008